(57)【要約】【課題】簡易な方法で照合を行うことができ、かつ照合間違いを少なくすることのできる色ＩＤカードを提供する。【解決手段】ユーザ照合に用いる照合側及び被照合側の双方の色ＩＤカード１０１，１０２には、ユーザを識別するユーザＩＤの各数字にそれぞれ対応した色が組み合わせられてなる色ＩＤパターン１１０がそれぞれ印字される。【選択図】図１０
2006248216.tif 000002
【特許請求の範囲】
【請求項１】
色による照合を行うための色ＩＤカードであって、
照合側カードと、該照合側カードとの間で照合を行うための被照合側カードとからなり、照合対象を識別する識別番号の各数字にそれぞれ対応した色が組み合わせられてなる色ＩＤパターンを、前記照合側カードと前記被照合側カードとのそれぞれに印字してなる色ＩＤカード。
【請求項２】
前記色ＩＤパターンは、前記照合側カードと前記被照合側カードとの間で互いに対称な図形パターンで形成される、
請求項１記載の色ＩＤカード。
【請求項３】
前記照合側カードと前記被照合側カードとのうち少なくともいずれか一方は、該カードの端面に前記色ＩＤパターンが縁なし印字されてなる、
請求項１又は２記載の色ＩＤカード。
【請求項４】
前記照合側カード及び前記被照合側カード間で合わせあう互いの前記色ＩＤパターンの合わせ端面は直線形状で形成され、該合わせ端面と反対側の端面は非直線形状で形成される、
請求項１乃至３のいずれか一項記載の色ＩＤカード。
【請求項５】
前記色ＩＤパターンは、前記識別番号の各数字に対し、互いに異なる幅を有する２以上の図形パターンを用いて形成される、
請求項１乃至４のいずれか一項記載の色ＩＤカード。
【請求項６】
前記色ＩＤパターンは、前記識別番号の各数字に対し、明度もしくは彩度の類似しない組み合わせで配色される、
請求項１乃至５のいずれか一項記載の色ＩＤカード。
【請求項７】
前記色ＩＤパターンは、前記識別番号の各数字に対し、同じ色相で明度を互いに変更する組み合わせで配色される、
請求項１乃至５のいずれか一項記載の色ＩＤカード。
【請求項８】
前記色ＩＤパターンは、前記識別番号の各数字にそれぞれ対応した色が組み合わせられてなる照合パターンと、該照合パターンを前記照合側カードと前記被照合側カードとの間で位置合わせするための位置合わせパターンとから構成される、
請求項１乃至７のいずれか一項記載の色ＩＤカード。
【請求項９】
前記照合側カードと前記被照合側カードとには、前記照合対象を確認する写真がさらに印字される、
請求項１乃至８のいずれか一項記載の色ＩＤカード。
【請求項１０】
前記照合側カードと前記被照合側カードとは、貼付可能なシール面を有するラベルシートを印刷媒体として作成される、
請求項１乃至９のいずれか一項記載の色ＩＤカード。
【請求項１１】
前記照合側カード及び前記被照合側カードのうち一方のカードには切り込み部が形成されるとともに他方のカードには前記切り込み部に挿し込み可能な凸部が形成されており、前記色ＩＤパターンは前記切り込み部と前記凸部とによる互いのカードの連結部位にそれぞれ印字されてなる、
請求項１乃至１０のいずれか一項記載の色ＩＤカード。
【請求項１２】
前記照合側カード及び前記被照合側カードのうち一方のカードに印字される前記色ＩＤパターンの形成部位には他方のカードに印字される前記色ＩＤパターンを覗き込む開口窓が形成されてなる、
請求項１乃至１０のいずれか一項記載の色ＩＤカード。
【請求項１３】
前記照合側カード及び前記被照合側カードのうち一方のカードの一端は該カードの内側に向かって幅方向の一部分が切り欠かれて切り欠き窓とされ、前記色ＩＤパターンは前記切り欠き窓の端面に縁なし印字されてなる、
請求項１乃至１０のいずれか一項記載の色ＩＤカード。
【請求項１４】
前記照合側カード及び前記被照合側カードには前記色ＩＤパターンによる照合が可能となるように互いのカード位置を位置決めするための切り欠き部が形成されてなる、
請求項１乃至１０のいずれか一項記載の色ＩＤカード。
【請求項１５】
照合側カードと、該照合側カードとの間で色による照合を行うための被照合側カードとからなる色ＩＤカードを作成するカード作成システムであって、
照合対象を識別する識別番号の各数字に対し色を設定する手段と、
前記識別番号の各数字に対し図形パターンを設定する手段と、
前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成する手段と、
前記画像データを印刷データに変換する手段と、
前記印刷データに基づいて所定の印刷媒体に前記色ＩＤカードを印刷する手段と、
を備えることを特徴とするカード作成システム。
【請求項１６】
前記色ＩＤパターンは、前記識別番号の各数字にそれぞれ対応した色が組み合わせられてなる照合パターンと、該照合パターンを前記照合側カードと前記被照合側カードとの間で位置合わせするための位置合わせパターンとから構成され、
前記図形パターンを設定する手段は、前記照合パターンと前記位置合わせパターンとをそれぞれ設定する手段である、
請求項１５記載のカード作成システム。
【請求項１７】
照合側カードと、該照合側カードとの間で色による照合を行うための被照合側カードとからなる色ＩＤカードを作成するカード作成方法であって、
照合対象を識別する識別番号の各数字に対し色を設定するステップと、
前記識別番号の各数字に対し図形パターンを設定するステップと、
前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成するステップと、
前記画像データを印刷データに変換するステップと、
前記印刷データに基づいて所定の印刷媒体に前記色ＩＤカードを印刷するステップと、
を備えることを特徴とするカード作成方法。
【請求項１８】
コンピュータにより実行され、照合側カードと、該照合側カードとの間で色による照合を行うための被照合側カードとからなる色ＩＤカードを作成するためのプログラムであって、
前記コンピュータが、
照合対象を識別する識別番号の各数字に対し色を設定する処理と、
前記識別番号の各数字に対し図形パターンを設定する処理と、
前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成する処理と、
を実行するためのプログラム。
【請求項１９】
コンピュータにより実行され、照合側カードと、該照合側カードとの間で色による照合を行うための被照合側カードとからなる色ＩＤカードを作成するためのプログラムを記憶した記憶媒体であって、
前記コンピュータが、
照合対象を識別する識別番号の各数字に対し色を設定する処理と、
前記識別番号の各数字に対し図形パターンを設定する処理と、
前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成する処理と、
を実行するためのプログラムを記憶した記憶媒体。
【発明の詳細な説明】
【技術分野】
【０００１】
この発明は、色情報を用いて照合を行うための色ＩＤカード、カード作成システム、カード作成方法、カード作成プログラム、及び記憶媒体に関するものである。
【背景技術】
【０００２】
近年、病院では様々な医療事故が発生しているが、その一つとして注射薬などの誤投薬の問題がある。こうした誤投薬は、本来患者に投与すべき必要のない薬剤を患者に投与してしまうといった医療事故であるが、この対策として、例えば、患者を識別する患者ＩＤと、その患者ＩＤとの照合を行うための照合情報とをそれぞれバーコードの形態で印字しておき、処置を施す際に、それら患者ＩＤと照合情報とをバーコードリーダーで読み取って照合することにより、投与しようとしている薬剤が、間違いなくその患者のものであるか否かを確認するようにしたシステムがある。しかしながら、このシステムでは、バーコードリーダーを持ち歩かなければならないため看護士等の負担が大きい。そこで、これに替わるシステムとして、例えば特許文献１では、図形や色（カラー図形）により患者本人を識別可能なラベルを作成し、このラベルを用いて照合を行うことにより患者に投与する薬剤が正しいものであるか否かを確認するようにしている。
【特許文献１】特開２００３−６３３２号公報
【発明の開示】
【発明が解決しようとする課題】
【０００３】
しかしながら、上記特許文献１に記載されたラベルでは、カラー図形を患者の血液型、診療科、感染症等の患者の属性によって区別しているため（文献中、図２参照）、患者の属性が同じであると、同じカラー図形のラベルが作成される。このため、患者の属性が同じである場合には、照合が間違って行われる可能性があった。
【０００４】
この発明は、このような従来の実情に鑑みてなされたものであり、その目的は、簡易な方法で照合を行うことができ、かつ照合間違いを少なくすることのできる色ＩＤカード、カード作成システム、カード作成方法、プログラム及び記憶媒体を提供することにある。
【課題を解決するための手段】
【０００５】
上記目的を達成するため、この発明の第１の態様は、色による照合を行うための色ＩＤカードであって、照合側カードと、該照合側カードとの間で照合を行うための被照合側カードとからなり、照合対象を識別する識別番号の各数字にそれぞれ対応した色が組み合わせられてなる色ＩＤパターンを、前記照合側カードと前記被照合側カードとのそれぞれに印字してなる色ＩＤカードであることを要旨とする。
【０００６】
この構成によれば、識別番号の各数字にそれぞれ対応した色を組み合わせてなる色ＩＤパターンを用いて照合を行うことにより、照合間違いの発生を少なくすることができる。すなわち、識別番号はそれぞれ照合すべき対象（照合対象）に対して固有の番号であり、したがって、それを元に形成される色ＩＤパターンの組み合わせ（配色）が複数の対象間で同一となることはない。なお、上記「照合対象」としては、ヒト（人間）、モノ（物）のいずれであってよい。すなわち、ヒトを対象として本人照合を行う場合には、当該本人を識別する識別番号、また、モノを対象としてモノ同士の照合を行う場合には、当該モノを識別する識別番号を元に、上記色ＩＤパターンを形成すればよい。このように唯一無二の組み合わせにより形成された色ＩＤパターンを利用することで、照合間違いの発生を好適に抑えることができる。勿論、本構成では、照合のためのバーコードリーダー等の別途の機器は不要である。したがって、簡易な方法で照合を行うことができる。
【０００７】
上記構成の色ＩＤカードにおいては、前記色ＩＤパターンは、前記照合側カードと前記被照合側カードとの間で互いに対称な図形パターンで形成される、といった構成を採用することもできる。
【０００８】
この構成によれば、照合側及び被照合側のカードで色ＩＤパターンの形状が互いに対称な図形パターンであることにより、照合の可否を、色の組み合わせのみならず、図形パターンの一致／不一致を判断して行うことができる。これにより、照合間違いをより少なくすることができる。
【０００９】
上記構成の色ＩＤカードにおいては、前記照合側カードと前記被照合側カードとのうち少なくともいずれか一方は、該カードの端面に前記色ＩＤパターンが縁なし印字されてなる、といった構成を採用することもできる。
【００１０】
この構成によれば、照合側及び被照合側のカードに印字される互いの色ＩＤパターンのうち少なくともいずれか一方の色ＩＤパターンが、該カードの端面に縁なし印字されることにより、色ＩＤパターン同士を接近させて照合を行うことができるようになる。すなわち、色ＩＤパターンがそれぞれカードの内部に印字されたものであると、両カード間で色ＩＤパターン同士が離れたままで照合を行わなければならず、それにより、互いの色ＩＤパターンの位置にずれが生じて、間違って照合が行われる可能性がある。しかしながら、本構成のように少なくともいずれか一方のカード端面に縁なし印字するようにすれば、該端面に縁なし印字されたカードを他方のカードに重ね合わせて色ＩＤパターン同士を接近させて照合を行うことができるため、照合間違いの発生を少なくすることができる。
【００１１】
上記構成の色ＩＤカードにおいては、前記照合側カード及び前記被照合側カード間で合わせあう互いの前記色ＩＤパターンの合わせ端面は直線形状で形成され、該合わせ端面と反対側の端面は非直線形状で形成される、といった構成を採用することもできる。
【００１２】
この構成によれば、互いの色ＩＤパターンを合わせあう方向が間違ったまま照合が行われることを防止することができる。すなわち本構成では、互いの色ＩＤパターンをそれぞれ直線形状にてなる合わせ端面側で合わせて色の確認を行うことで、照合間違いを少なくすることができる。
【００１３】
上記構成の色ＩＤカードにおいては、前記色ＩＤパターンは、前記識別番号の各数字に対し、互いに異なる幅を有する２以上の図形パターンを用いて形成される、といった構成を採用することもできる。
【００１４】
この構成によれば、色ＩＤパターンが互いに異なる幅を有する２以上の図形パターンを用いて形成されることにより、照合側及び被照合側のカード間で図形パターン同士が類似することによる照合間違いを防止することができる。
【００１５】
上記構成の色ＩＤカードにおいては、前記色ＩＤパターンは、前記識別番号の各数字に対し、明度もしくは彩度の類似しない組み合わせで配色される、といった構成を採用することもできる。
【００１６】
この構成によれば、色覚障害者及びそうでない人にも、色名（色のカテゴリー）を識別しやすい色の組み合わせとすることができ、色の識別違いによる照合間違いを少なくすることができる。
【００１７】
上記構成の色ＩＤカードにおいては、前記色ＩＤパターンは、前記識別番号の各数字に対し、同じ色相で明度を互いに変更する組み合わせで配色される、といった構成を採用することもできる。
【００１８】
この構成によれば、色覚障害者及びそうでない人にも、色名（色のカテゴリー）を識別しやすい色の組み合わせとすることができ、色の識別違いによる照合間違いを少なくすることができる。
【００１９】
上記構成の色ＩＤカードにおいては、前記色ＩＤパターンは、前記識別番号の各数字にそれぞれ対応した色が組み合わせられてなる照合パターンと、該照合パターンを前記照合側カードと前記被照合側カードとの間で位置合わせするための位置合わせパターンとから構成される、といった構成を採用することもできる。
【００２０】
この構成によれば、照合側及び被照合側のカードに印字された互いの照合パターンを、位置合わせパターンを用いて位置合わせすることができ、照合間違いを少なくすることができる。
【００２１】
上記構成の色ＩＤカードにおいては、前記照合側カードと前記被照合側カードとには、前記照合対象を確認する写真がさらに印字される、といった構成を採用することもできる。
【００２２】
この構成によれば、色ＩＤパターンに加えて、さらに写真により照合確認することができるようになる。これにより、照合間違いをより少なくすることができる。
上記構成の色ＩＤカードにおいては、前記照合側カードと前記被照合側カードとは、貼付可能なシール面を有するラベルシートを印刷媒体として作成される、といった構成を採用することもできる。
【００２３】
この構成によれば、色ＩＤパターンを印字した照合側及び被照合側のカードをシール面を有するラベルにて形成することにより、例えば、病院などにおいて、照合側のラベルを名札カードに貼付し、被照合側のラベルを薬容器に貼付して使用する等といった汎用性の高い使用が可能である。
【００２４】
上記構成の色ＩＤカードにおいては、前記照合側カード及び前記被照合側カードのうち一方のカードには切り込み部が形成されるとともに、他方のカードには前記切り込み部に挿し込み可能な凸部が形成されており、前記色ＩＤパターンは前記切り込み部と前記凸部とによる互いのカードの連結部位にそれぞれ印字されてなる、といった構成を採用することもできる。
【００２５】
この構成によれば、一方のカードの切り込み部に他方のカードの凸部を挿し込んで互いのカードを連結させることにより、互いの色ＩＤパターンによる照合位置を位置決めすることができる。これにより、照合位置のずれに起因する照合間違いの発生を極めて低くすることができる。又、照合作業を容易化することができる。
【００２６】
上記構成の色ＩＤカードにおいては、前記照合側カード及び前記被照合側カードのうち一方のカードに印字される前記色ＩＤパターンの形成部位には他方のカードに印字される前記色ＩＤパターンを覗き込む開口窓が形成されてなる、といった構成を採用することもできる。
【００２７】
この構成によれば、一方のカードに形成された開口窓に他方のカードの色ＩＤパターンを望ませて互いのカードを重ね合わせながら照合を行うことができる。
上記構成の色ＩＤカードにおいては、前記照合側カード及び前記被照合側カードのうち一方のカードの一端は該カードの内側に向かって幅方向の一部分が切り欠かれて切り欠き窓とされ、前記色ＩＤパターンは前記切り欠き窓の端面に縁なし印字されてなる、といった構成を採用することもできる。
【００２８】
この構成によれば、一方のカードの一端に形成された切り欠き窓に他方のカードの色ＩＤパターンを望ませて互いのカードを重ね合わせながら照合を行うことができる。
上記構成の色ＩＤカードにおいては、前記照合側カード及び前記被照合側カードには前記色ＩＤパターンによる照合が可能となるように互いのカード位置を位置決めするための切り欠き部が形成されてなる、といった構成を採用することもできる。
【００２９】
この構成によれば、両カードの切り欠き部を合わせるのみで、互いのカード位置を位置決めして色ＩＤパターンの照合位置を位置決めすることができる。これにより、照合位置のずれに起因する照合間違いの発生を極めて低くすることができる。又、照合作業を容易に行うことができる。
【００３０】
この発明の第２の態様は、照合側カードと、該照合側カードとの間で色による照合を行うための被照合側カードとからなる色ＩＤカードを作成するカード作成システムであって、照合対象を識別する識別番号の各数字に対し色を設定する手段と、前記識別番号の各数字に対し図形パターンを設定する手段と、前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成する手段と、前記画像データを印刷データに変換する手段と、前記印刷データに基づいて所定の印刷媒体に前記色ＩＤカードを印刷する手段と、を備えることを要旨とする。
【００３１】
この構成によれば、識別番号の各数字にそれぞれ対応した色及び図形パターンを組み合わせてなる色ＩＤパターンを用いて照合を行うことにより、照合間違いの発生を少なくすることができる。すなわち、識別番号はそれぞれ照合すべき対象（照合対象）に対して固有の番号であり、したがって、それを元に形成される色ＩＤパターンの組み合わせ（配色）が複数の対象間で同一となることはない。このように唯一無二の組み合わせにより形成された色ＩＤパターンを利用することで、照合間違いの発生を好適に抑えることができる。勿論、本構成では、照合のためのバーコードリーダー等の別途の機器は不要である。したがって、簡易な方法で照合を行うことができる。
【００３２】
上記構成のカード作成システムにおいては、前記色ＩＤパターンは、前記識別番号の各数字にそれぞれ対応した色が組み合わせられてなる照合パターンと、該照合パターンを前記照合側カードと前記被照合側カードとの間で位置合わせするための位置合わせパターンとから構成され、前記図形パターンを設定する手段は、前記照合パターンと前記位置合わせパターンとをそれぞれ設定する手段である、といった構成を採用することもできる。
【００３３】
この構成によれば、照合側及び被照合側のカードに印字された互いの照合パターンを、位置合わせパターンを用いて位置合わせすることができ、照合間違いを少なくすることができる。
【００３４】
この発明の第３の態様は、照合側カードと、該照合側カードとの間で色による照合を行うための被照合側カードとからなる色ＩＤカードを作成するカード作成方法であって、照合対象を識別する識別番号の各数字に対し色を設定するステップと、前記識別番号の各数字に対し図形パターンを設定するステップと、前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成するステップと、前記画像データを印刷データに変換するステップと、前記印刷データに基づいて所定の印刷媒体に前記色ＩＤカードを印刷するステップと、を備えることを要旨とする。
【００３５】
この方法によれば、識別番号の各数字にそれぞれ対応した色及び図形パターンを組み合わせてなる色ＩＤパターンを用いて照合を行うことにより、照合間違いの発生を少なくすることができる。すなわち、識別番号はそれぞれ照合すべき対象（照合対象）に対して固有の番号であり、したがって、それを元に形成される色ＩＤパターンの組み合わせ（配色）が複数の対象間で同一となることはない。このように唯一無二の組み合わせにより形成された色ＩＤパターンを利用することで、照合間違いの発生を好適に抑えることができる。勿論、本構成では、照合のためのバーコードリーダー等の別途の機器は不要である。したがって、簡易な方法で照合を行うことができる。
【００３６】
この発明の第４の態様は、コンピュータにより実行され、照合側カードと、該照合側カードとの間で色による照合を行うための被照合側カードとからなる色ＩＤカードを作成するためのプログラムであって、前記コンピュータが、照合対象を識別する識別番号の各数字に対し色を設定する処理と、前記識別番号の各数字に対し図形パターンを設定する処理と、前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成する処理と、を実行するためのプログラムであることを要旨とする。
【００３７】
このプログラムによれば、識別番号の各数字にそれぞれ対応した色及び図形パターンを組み合わせてなる色ＩＤパターンを用いて照合を行うことにより、照合間違いの発生を少なくすることができる。すなわち、識別番号はそれぞれ照合すべき対象（照合対象）に対して固有の番号であり、したがって、それを元に形成される色ＩＤパターンの組み合わせ（配色）が複数の対象間で同一となることはない。このように唯一無二の組み合わせにより形成された色ＩＤパターンを利用することで、照合間違いの発生を好適に抑えることができる。勿論、本構成では、照合のためのバーコードリーダー等の別途の機器は不要である。したがって、簡易な方法で照合を行うことができる。
【００３８】
この発明の第５の態様は、コンピュータにより実行され、照合側カードと、該照合側カードとの間で色による照合を行うための被照合側カードとからなる色ＩＤカードを作成するためのプログラムを記憶した記憶媒体であって、前記コンピュータが、照合対象を識別する識別番号の各数字に対し色を設定する処理と、前記識別番号の各数字に対し図形パターンを設定する処理と、前記識別番号の各数字に対し設定した色及び図形パターンを組み合わせて色ＩＤパターンを形成し、該色ＩＤパターンを前記照合側カードと前記被照合側カードとのそれぞれにレイアウトして前記色ＩＤカードの画像データを作成する処理と、を実行するためのプログラムを記憶した記憶媒体であることを要旨とする。
【００３９】
この記憶媒体により提供されるプログラムによれば、識別番号の各数字にそれぞれ対応した色及び図形パターンを組み合わせてなる色ＩＤパターンを用いて照合を行うことにより、照合間違いの発生を少なくすることができる。すなわち、識別番号はそれぞれ照合すべき対象（照合対象）に対して固有の番号であり、したがって、それを元に形成される色ＩＤパターンの組み合わせ（配色）が複数の対象間で同一となることはない。このように唯一無二の組み合わせにより形成された色ＩＤパターンを利用することで、照合間違いの発生を好適に抑えることができる。勿論、本構成では、照合のためのバーコードリーダー等の別途の機器は不要である。したがって、簡易な方法で照合を行うことができる。
【発明を実施するための最良の形態】
【００４０】
（第１の実施の形態）
以下、この発明を、例えば病院等において患者本人の照合を行う際に利用可能な色ＩＤカードに具体化した第１の実施の形態を図面に従って説明する。
【００４１】
図１は、本実施の形態のカード作成システム１を示す概略構成図である。カード作成システム１（コンピュータシステム）は、コンピュータのデータベースを用いて、後述する色ＩＤカード１０１，１０２（図１０参照）の作成や各種データの管理を行うものであり、本例では、クライアント／サーバ方式のリレーショナル型データモデルを元にシステム構築されている。
【００４２】
カード作成システム１は、それぞれ病院内に設置されるクライアント・コンピュータとしての端末１２と、サーバ・コンピュータとしての管理サーバ１３とを備えている。これら端末１２と管理サーバ１３とは、ネットワーク１４（例えばＬＡＮ等）を介して相互に接続されている。
【００４３】
管理サーバ１３は、ＷｅｂサーバやＦＴＰサーバ等のサーバ機能を統合的に有して構成されている。管理サーバ１３と端末１２との間のデータの授受は所定の通信プロトコル（例えばＴＣＰ／ＩＰ）にしたがって行われる。なお、本例では、一台の管理サーバ１３にサーバ機能を全て統合した態様としているが、サーバ機能の分散／統合の態様としてはこの態様に限られず、サーバ機能の全部又は一部を負荷等に応じて機能的又は物理的に分散／統合する等、任意の単位で構成することができる。
【００４４】
端末１２は、例えばパーソナルコンピュータにより構成され、この端末１２には、例えばカラーインクジェット式プリンタよりなるプリンタ１５が接続されている。プリンタ１５は、端末１２により作成される後述する印刷データに基づいて、所定の印刷媒体、本例では貼付可能なシール面を有するラベルシート１００（図１０参照）に、照合側カードとする色ＩＤカード１０１と被照合側カードとする色ＩＤカード１０２との２つのカードを印刷する。なお、図１には端末１２を一台のみ示すが、この端末１２は病院内に一台以上設置される。
【００４５】
管理サーバ１３には、色ＩＤカード１０１，１０２の作成に必要な各種データが記憶されたデータベース１６が接続されている。このデータベース１６は、患者データ記憶部２１、処方データ記憶部２２、パターンデータ記憶部２３、写真データ記憶部２４、及び、書式データ記憶部２５から構成されている。なお、本例では、データベース１６を機能別に各記憶部２１〜２５に分散した態様としたが、この分散の態様に限定されない。
【００４６】
患者データ記憶部２１には、各患者の患者データ３１が記憶されている。図２に示すように、患者データ３１は、本例では、ユーザＩＤ３２、ユーザ名３３、年齢３４、性別３５、血液型３６、入院日３７等によって構成されている。ユーザＩＤ３２は、照合対象とする患者を識別するための識別番号であり、本例では、０〜９の数字を組み合わせてなる１０桁の番号で構成されている。ユーザ名３３、年齢３４、性別３５、血液型３６、入院日３７等は、それぞれ文字や数字のテキストデータで構成されている。
【００４７】
処方データ記憶部２２には、医師の処方箋を元に作成される処方データが記憶されている。この処方データは、上記ユーザＩＤ３２に関連付けて登録されており、例えば、患者に投薬する薬剤名３８、薬剤の使用日３９（図１０参照）等はこの処方データに登録されている。
【００４８】
パターンデータ記憶部２３には、色ＩＤパターン１１０（図１０参照）の図形パターンを保存した図形ファイルが記憶されている。色ＩＤパターン１１０とは、上記ユーザＩＤ３２を構成する各数字（０〜９）に対してそれぞれ別々の色を設定し、その設定色に基づいて配色した所定の図形パターンでのＩＤ（ユーザＩＤ３２）の照合を行うためのものである。パターンデータ記憶部２３には、このような色ＩＤパターン１１０を形成するための図形パターン、具体的には、各数字に対し設定された色によりＩＤの照合を行うための図形パターン（以下「照合パターン」）と、この照合パターンの位置合わせを行うための図形パターン（以下「位置合わせパターン」）とが登録されている。
【００４９】
写真データ記憶部２４には、照合対象を確認する写真として、患者の顔写真４０（図１０参照）を保存した顔写真ファイルが記憶されている。この顔写真ファイルは、上記ユーザＩＤ３２に関連付けて登録されている。顔写真４０は、カラー写真データで構成されており、それぞれ色ＩＤカード１０１，１０２に印字する大きさに縮尺されて保存されている。
【００５０】
書式データ記憶部２５には、色ＩＤカード１０１，１０２を作成するための書式に関するデータ（作成フォーマット）が記憶されている。なお、図１０に示すように、この作成フォーマットは、色ＩＤカード１０１，１０２の各４つの辺のうちいずれか一辺の端面に縁なし印字の態様で色ＩＤパターン１１０を印字するためのものとなっている。
【００５１】
次に、色ＩＤパターン１１０を形成する照合パターン及び位置合わせパターンの形状について図３及び図４に従って説明する。
図３は、照合パターンの例を示す模式図であり、（ａ）は一端が円弧形状をなす長尺状の照合パターンＣ１、（ｂ）は半円形状の照合パターンＣ２、（ｃ）は長方形状の照合パターンＣ３を示す。図４は、位置合わせパターンの例を示す模式図であり、（ａ）は半円形状の位置合わせパターンＰ１、（ｂ）は逆三角形状の位置合わせパターンＰ２を示す。上記したように、これらのパターンはパターンデータ記憶部２３に記憶されている。なお、照合パターンＣ１〜Ｃ３及び位置合わせパターンＰ１はそれぞれ直線形状の端面ＥＧを有しており、この端面ＥＧは、後述するように、２つの色ＩＤカード１０１，１０２にそれぞれ印字された色ＩＤパターン１１０によりＩＤの照合を行う際の合わせ端面となる。
【００５２】
色ＩＤパターン１１０は、上記照合パターンＣ１〜Ｃ３のうちいずれか一つのパターンと、上記位置合わせパターンＰ１，Ｐ２のうちいずれか一つのパターンとを用いて形成される。すなわち、色ＩＤパターン１１０は、ユーザＩＤ３２を構成する１０桁の各数字に対し、同一図形の照合パターンＣ１（又はＣ２又はＣ３）を用いて形成される。なお、どの照合パターンと位置合わせパターンとを用いるかは、後述するパターン設定レジスタ９２（図８参照）によって設定される。
【００５３】
次に、本実施の形態のカード作成システム１の端末１２及び管理サーバ１３の機能構成を図５及び図６に従って説明する。
図５は、端末１２の概略ハードウェア構成を示すブロック図である。
【００５４】
端末１２は、操作部５１、表示部５２、入出力Ｉ／Ｆ（インタフェース、以下同じ）部５３、制御部５４、通信Ｉ／Ｆ部５５を有して構成されている。
入出力Ｉ／Ｆ部５３は、操作部５１や表示部５２、さらには、プリンタ１５との間のデータの授受を制御する。操作部５１は、例えばキーボード５１ａやマウス５１ｂ（それぞれ図１参照）等により構成され、これらは各種データや指示の入力に用いられる。表示部５２は、例えばＣＲＴやＬＣＤ等のモニタ５２ａ（図１参照）により構成され、これには処理を行う際の画面及びその処理結果を示す画面等が表示される。通信Ｉ／Ｆ部５５は、端末１２と、図示しないルータ等の通信装置を介したネットワーク１４との間の通信制御を行う。
【００５５】
制御部５４は、図示しないＣＰＵ、ＲＯＭ、ＲＡＭ等により構成され、機能概念的には、カードデータ取得部６１と、印刷制御部６２とを有して構成されている。なお、これら各機能部（６１，６２）での処理を実現するためのプログラムは例えばＲＯＭに記憶されており、ＣＰＵは、このＲＯＭに記憶されているプログラムに従ってＲＡＭをバッファ等の作業領域として利用しながら処理を実行する。
【００５６】
カードデータ取得部６１は、ラベルシート１００に作成（印字）する２つの色ＩＤカード１０１，１０２の画像データ（以下「カードデータ」）を管理サーバ１３より取得する処理部である。具体的には、色ＩＤカード１０１，１０２を作成する患者を選択してそのユーザＩＤ３２を管理サーバ１３に送信し、そのユーザＩＤ３２に基づいて作成された色ＩＤパターン１１０を含む色ＩＤカード１０１，１０２のカードデータを管理サーバ１３から取得する。
【００５７】
印刷制御部６２は、カードデータ取得部６１が取得した上記カードデータをプリンタ１５が扱うことのできる印刷データに変換して、この印刷データをプリンタ１５に送信する処理部である。すなわちプリンタ１５は、この印刷制御部６２から供給される印刷データに基づいてラベルシート１００への印刷を行う。これにより、ラベルシート１００を用いて色ＩＤカード１０１，１０２が作成される。なお、このような印刷制御部６２の機能をプリンタ１５側に設け、端末１２が受信したカードデータをプリンタ１５側で印刷データに変換するようにしてもよい。
【００５８】
図６は、管理サーバ１３の概略ハードウェア構成を示すブロック図である。
管理サーバ１３は、通信Ｉ／Ｆ部７１、制御部７２を有して構成されている。通信Ｉ／Ｆ部７１は、図示しないルータなどの通信装置を介したネットワーク１４との間の双方向の通信制御を行う。制御部７２は、図示しないＣＰＵ、ＲＯＭ、ＲＡＭ等により構成され、機能概念的には、データ登録／管理部８１と、データ抽出／作成部８２と、データ送信部８３とを有して構成されている。なお、これら各機能部（８１〜８３）での処理を実現するためのプログラムは例えばＲＯＭに記憶されており、ＣＰＵは、このＲＯＭに記憶されているプログラムに従って、ＲＡＭをバッファ等の作業領域として利用しながら処理を実行する。
【００５９】
データ登録／管理部８１は、データベース１６への各種データの登録、及びそれら登録したデータの管理を行う処理部である。具体的には、患者データ記憶部２１への患者データ３１の登録、処方データ記憶部２２への処方データの登録、パターンデータ記憶部２３への図形パターン（照合パターン、位置合わせパターン）の登録、写真データ記憶部２４への顔写真４０の登録、書式データ記憶部２５への作成フォーマットの登録、及びそれら登録したデータの変更、削除等を行う。
【００６０】
また、データ登録／管理部８１は、色ＩＤパターン１１０の色設定とパターン設定とを行うための色設定レジスタ９１（図７）とパターン設定レジスタ９２（図８）とを有し、色ＩＤパターン１１０における照合パターン及び位置合わせパターンの色、パターンをそれら各レジスタ９１，９２にそれぞれ設定する。
【００６１】
図７に示すように、色設定レジスタ９１には、上記ユーザＩＤ３２を構成する０〜９の各数字（具体的には各数字の照合パターン）に対してそれぞれ割り当てる色と、位置合わせパターンに対して割り当てる色とが設定されている。各数字に対して割り当てる色は、それぞれ各数字間で異なる色となるように設定されている。
【００６２】
なお、本例では、０〜９の各数字に対し、白、赤、橙、黄、緑、青、紺、紫、灰、黒の色をそれぞれ割り当てるようにしているが、この配色に限定されない。すなわち、各数字に対し割り当てる色は、色覚障害者及びそうでない人にも見分けが付きやすい（色のカテゴリー（色名）が識別しやすい）ように配色を工夫することが望ましい。色覚障害者は、色相（色あい）の見分けが困難な分、明度や彩度の差にはむしろ敏感で、同系色の明暗の識別には支障が少ないことが一般に知られている。したがって、この点を考慮して、色を割り当てる際には、色覚障害者が色名を識別しにくくなるような、明度もしくは彩度の類似する色の組み合わせや、同じ明度で色相のみを変更する色の組み合わせは避けるようにするのがよい。換言すれば、色の組み合わせとしては、同じ色相で明度を変更する配色とするのがより好ましい（例えば、１０桁の各数字に対しモノクロで色を割り当てる場合にも、その明度で１０段階を表すようにする）。なお、人間の眼は明るさを対数的に感じるため、明度を指定するときは値が等差数列（例：10,20,30,40,…％）でなく等比数列（例:10,14.1,20,28.2,…％）になるようにするのがよい。このように配色を工夫することで、色覚障害者及びそうでない人にも色名を識別しやすい色ＩＤパターン１１０とすることができ、照合間違いを少なくすることができる。
【００６３】
図８に示すように、パターン設定レジスタ９２には、色ＩＤパターン１１０を形成する図形パターン（照合パターン、位置合わせパターン）がパターンデータ記憶部２３に記憶されている図形ファイルの中から選択されて設定されている。本例では、照合パターンＣ１と位置合わせパターンＰ１とがパターンデータ記憶部２３から選択されて設定されている。
【００６４】
データ抽出／作成部８２は、端末１２からのカードデータの取得要求に応答してデータベース１６から色ＩＤカード１０１，１０２の作成に必要なデータを抽出し、それら抽出したデータをもとにカードデータを作成する処理部である。
【００６５】
具体的には、端末１２から受信したユーザＩＤ３２に基づいて、患者データ３１に登録されている患者のユーザ名３３、年齢３４、性別３５、血液型３６、入院日３７を患者データ記憶部２１から抽出するとともに、その患者の処方データに登録されている薬剤名３８、及びその薬剤の使用日３９を処方データ記憶部２２から抽出する。また、その患者の顔写真４０を写真データ記憶部２４から抽出するとともに、作成フォーマットを書式データ記憶部２５から抽出する。
【００６６】
さらには、パターン設定レジスタ９２に設定されている照合パターンＣ１と位置合わせパターンＰ１とをパターンデータ記憶部２３から抽出し、それら照合パターンＣ１と位置合わせパターンＰ１とからなる色ＩＤパターン１１０を色設定レジスタ９１に設定されている色にしたがってその患者のユーザＩＤ３２に対応した配色で作成する。例えば、患者のユーザＩＤ３２が「７５２３１４６９８７」の場合、上記色設定レジスタ９１に設定されている色にしたがって、照合パターンＣ１の１０色分の配色を「紫、青、橙、黄、赤、緑、紺、黒、灰、紫」とする。なお、位置合わせパターンＰ１は「黒」である。
【００６７】
そして、データ抽出／作成部８２は、図１０に示すように、患者のユーザ名３３、年齢３４、性別３５、血液型３６、入院日３７、顔写真４０、及び、色ＩＤパターン１１０をレイアウトした色ＩＤカード１０１と、その患者のユーザ名３３、薬剤名３８、該薬剤の使用日３９、顔写真４０、及び、色ＩＤパターン１１０をレイアウトした色ＩＤカード１０２とをラベルシート１００に作成するためのカードデータを作成フォーマットに基づいて作成する。
【００６８】
データ送信部８３は、こうしてデータ抽出／作成部８２により作成された色ＩＤカード１０１，１０２のカードデータを端末１２に送信する処理部である。
次に、本実施の形態のカード作成システム１におけるカード作成処理の流れを、図９に従って説明する。
【００６９】
図９は、カード作成処理を示すフローチャートである。
端末１２は、ステップＳ１１０において、色ＩＤカード１０１，１０２を作成する患者が選択されると、次いでステップＳ１２０において、その選択された患者のユーザＩＤ３２を管理サーバ１３に送信してカードデータの取得要求を行う。
【００７０】
管理サーバ１３は、端末１２からユーザＩＤ３２を受信すると、そのユーザＩＤ３２に基づいて、カードデータの作成に必要なデータをデータベース１６から抽出する。すなわち、ステップＳ１３０では、患者データ記憶部２１から患者データ３１（ユーザ名３３等）を抽出し、次いでステップＳ１４０では、写真データ記憶部２４から患者の顔写真４０を抽出し、次いでステップＳ１５０では、処方データ記憶部２２から患者の処方データ（薬剤名３８等）を抽出する。次いでステップＳ１６０において、パターン設定レジスタ９２から色ＩＤパターン１１０のパターン設定を読み込み、次いでステップＳ１７０において、上記パターン設定レジスタ９２に設定されている照合パターンＣ１と位置合わせパターンＰ１とをパターンデータ記憶部２３から抽出する。次いでステップＳ１８０において、色設定レジスタ９１から色ＩＤパターン１１０の色設定を読み込み、その患者のユーザＩＤ３２に対応した色ＩＤパターン１１０を作成する。次いでステップＳ１９０において、書式データ記憶部２５から作成フォーマットを抽出し、次いでステップＳ２００において、上記作成フォーマットに基づき、それぞれ色ＩＤパターン１１０を含む色ＩＤカード１０１，１０２のカードデータを作成する。そしてステップＳ２１０において、このカードデータを端末１２に送信する。
【００７１】
端末１２は、管理サーバ１３からカードデータを受信すると、ステップＳ２２０において、そのカードデータをプリンタ１５が処理可能な印刷データに変換し、次いでステップＳ２３０において、その印刷データをプリンタ１５に送信する。
【００７２】
そして、プリンタ１５は、ステップＳ２４０において、端末１２から受信した印刷データに基づいて、ラベルシート１００への印刷処理を行う。これにより、上記ステップＳ１１０で選択された患者についての色ＩＤカード１０１，１０２が作成される。
【００７３】
次に、本実施の形態のカード作成システム１により作成される色ＩＤカード１０１，１０２の特徴、及びそれら両カード１０１，１０２を使用して患者本人の照合を行う方法を図１０及び図１１に従って説明する。
【００７４】
図１０は、ラベルシート１００上に印字された色ＩＤカード１０１，１０２の印字例を示す模式図、図１１は、それら色ＩＤカード１０１，１０２の実際の使用例を示す模式図である。
【００７５】
色ＩＤカード１０１は、例えば、入院ベッドに備え付けられ患者本人を確認するための名札カードＮ（図１１）等に貼付されて使用されるラベルであって、これには、ユーザ名３３とともに、顔写真４０や、色ＩＤパターン１１０等が印字されている。一方、色ＩＤカード１０２は、薬容器Ｍ（図１１）等に貼付されて使用されるラベルであって、これには、薬剤名３８とともに、ユーザ名３３、顔写真４０、色ＩＤパターン１１０等が印字されている。すなわち、双方の色ＩＤカード１０１，１０２には、患者のユーザ名３３、顔写真４０、色ＩＤパターン１１０が共通に印字されており、そのうち色ＩＤパターン１１０（照合パターンＣ１、位置合わせパターンＰ１）は互いの色ＩＤカード１０１，１０２間で対称図形となるように両カード１０１，１０２の端面にそれぞれ縁なし印字されている。
【００７６】
医師や看護士等が患者に処置を施す際には、名札カードＮに貼付されている色ＩＤカード１０１の色ＩＤパターン１１０と、薬容器Ｍに貼付されている色ＩＤカード１０２の色ＩＤパターン１１０とを用いてＩＤ（つまり患者本人かどうか）の照合を行う。
【００７７】
具体的には、まず、照合側カードとする色ＩＤカード１０１（名札カードＮ）の端面と、被照合側カードとする色ＩＤカード１０２（薬容器Ｍ）の端面とを合わせ、位置合わせパターンＰ１により照合位置の位置合わせを行う。これは、双方の色ＩＤカード１０１，１０２の位置合わせパターンＰ１を互いの合わせ端面（直線形状の端面）で合わせたときに、両カード１０１，１０２間で円形状のパターンが形成されるように位置をすりあわせることによって行う。
【００７８】
位置合わせパターンＰ１により位置合わせがなされると、双方の色ＩＤカード１０１，１０２間でそれぞれ対応する数字位置における照合パターンＣ１の合わせ端面（直線形状の端面）の形状が一致し、該照合パターンＣ１が互いの色ＩＤカード１０１，１０２間で一つのパターンとして形成されるようになる。すなわち、照合側とする色ＩＤカード１０１の各色の照合パターンＣ１と、被照合側とする色ＩＤカード１０２の各色の照合パターンＣ１とがそれぞれ互いの合わせ端面において連続する一つの長尺パターンとして形成されるようになる。
【００７９】
照合は、このように各数字に対応した各色の照合パターンＣ１を双方の色ＩＤカード１０１，１０２間で互いに一致させた状態で、それら双方の色ＩＤカード１０１，１０２間における照合パターンＣ１の色（１０色分）がそれぞれ同じ色かどうかを判断することにより行う。これにより、投与しようとする薬剤が間違いなくその患者のものであるかどうかを確認する。なお、この際には、双方の色ＩＤカード１０１，１０２に印字されているユーザ名３３と顔写真４０についても併せて確認を行うことにより、照合間違いの発生をより少なくすることができる。
【００８０】
以上記述したように、本実施の形態によれば、以下の効果を奏する。
（１）ユーザＩＤ３２の各数字（１０桁分）に対応した色を組み合わせて色ＩＤパターン１１０を形成し、この色ＩＤパターン１１０を照合側及び被照合側の２つの色ＩＤカード１０１，１０２にそれぞれ印字するようにした。すなわち、ユーザＩＤ３２の数字列を色の組み合わせによって形成される色ＩＤパターン１１０に置き換え、該色ＩＤパターン１１０の一致／不一致を両カード１０１，１０２間で判断することにより照合を行うものとした。これにより、数字列を目で追って判断するよりも、その一致／不一致を一目瞭然に見分けることができる。また、同じ色同士の図形パターンを比較することにより照合に間違いが生じる可能性を低くすることができる。そして、本構成では、唯一無二の番号で構成されるユーザＩＤ３２の各数字に対応した色の組み合わせで色ＩＤパターン１１０が形成されるため、複数のユーザ間で同じ色の組み合わせの色ＩＤパターン１１０が形成されることはない。したがって、照合間違いの発生する可能性を好適に防止することができる。言うまでもないが、照合のためのバーコードリーダー等の別途の機器は不要となる。
【００８１】
（２）照合パターンＣ１を双方の色ＩＤカード１０１，１０２間で対称図形とした。これにより、色の組み合わせだけでなく、図形パターンによっても照合を行うことができ、照合間違いをより少なくすることができる。
【００８２】
（３）両カード１０１，１０２間で合わせあう互いの照合パターンＣ１（１０色分）の合わせ端面を直線形状とし、それと反対側の端面を非直線形状（本例では円弧状）で形成するようにした。これにより、照合パターンＣ１を合わせあう方向が間違ったまま照合が行われることを防止することができる。
【００８３】
（４）照合パターンＣ１を双方の色ＩＤカード１０１，１０２の端面に縁なし印字するようにした。このようにカード端面に印字することにより、両カード１０１，１０２間で互いの照合パターンＣ１同士を接近させて照合を行うことができるようになる。したがって、色が一致しているか否かの確認作業が行い易くなる。これにより、照合間違いをより少なくすることができる。
【００８４】
（５）照合位置、すなわち、各数字に対応した照合パターンＣ１の位置を双方の色ＩＤカード１０１，１０２間で合わせあうための位置合わせパターンＰ１を両カード１０１，１０２に印字するようにした。これにより、両カード１０１，１０２間で互いの照合パターンＣ１の位置がずれたまま色の一致／不一致が判断され、照合間違いが生じることを防止することができる。
【００８５】
（６）双方の色ＩＤカード１０１，１０２には、色ＩＤパターン１１０（照合パターンＣ１、位置合わせパターンＰ１）の他、患者のユーザ名３３、顔写真４０をさらに印字するようにした。これにより、色ＩＤパターン１１０だけでなく、患者のユーザ名３３、顔写真４０についても併せて確認することで、照合間違いの発生を一段と少なくすることができる。
【００８６】
（７）照合側及び被照合側の双方の色ＩＤカード１０１，１０２を、貼付可能なシール面を有するラベルシート１００にて作成するようにした。これによれば、色ＩＤパターン１１０を印字した両カード１０１，１０２を汎用性の高いものとできる。
【００８７】
（第１の実施の形態の変形例）
上記第１の実施の形態は、以下の各変形例の態様に変更して実施することもできる。
（変形例１）上記実施の形態のカード作成システム１では、端末１２が備える機能と、管理サーバ１３の備える機能とを、１つのコンピュータ（例えば端末１２のみ）に備えて実現することもできる。また、このカード作成システム１は、複数のコンピュータに色ＩＤカード１０１，１０２を作成するためのプログラム（カード作成プログラム）をそれぞれインストールすることによっても実現することができる。なお、上記実施の形態、及び本変形例１におけるカード作成プログラムは、フレキシブルディスクやＣＤ−ＲＯＭ等の可搬型媒体やネットワーク接続された他の計算機の主記憶装置や補助記憶装置等に格納されて提供される。提供されたプログラムは、可搬型媒体から直接計算機の主記憶装置にロードされ、または、可搬型媒体から一旦補助記憶装置にコピーもしくはインストール後に主記憶装置にロードされて実行される。また、ネットワーク接続された他の装置に格納されて提供された場合も、他の装置からネットワークを経由して受信後に補助記憶装置にコピーもしくはインストールされ、主記憶装置にロードされ実行されるものである。
【００８８】
（変形例２）双方の色ＩＤカード１０１，１０２に印字する色ＩＤパターン１１０は、図１２に示すような色ＩＤパターン１１１に変更してもよい。この色ＩＤパターン１１１は、パターンデータ記憶部２３に記憶されている照合パターンＣ２（図３（ｂ））と位置合わせパターンＰ１（図４（ａ））とを組み合わせて形成されている。すなわち、この色ＩＤパターン１１１では、照合パターンＣ２の形状が半円形状であるため、照合パターンＣ１を用いるよりも色ＩＤパターン１１１の印字面積を小さくできる。したがって、色ＩＤカード１０１，１０２を小型サイズで作成する場合には有利となる。
【００８９】
（変形例３）双方の色ＩＤカード１０１，１０２に印字する色ＩＤパターン１１０は、図１３に示すような色ＩＤパターン１１２に変更してもよい。この色ＩＤパターン１１２は、パターンデータ記憶部２３に記憶されている照合パターンＣ３（図３（ｃ））と位置合わせパターンＰ２（図４（ｂ））とを組み合わせて形成されている。すなわち、この色ＩＤパターン１１２では、照合パターンＣ３の形状が照合パターンＣ１よりも長尺であるため、色の識別がしやすくなる。このため、照合間違いを少なくすることができる。
【００９０】
（変形例４）双方の色ＩＤカード１０１，１０２に印字する色ＩＤパターン１１０は、図１４に示すような色ＩＤパターン１１３に変更してもよい。この色ＩＤパターン１１３は、照合パターンＣ１の幅Ｗ１よりも大きな幅Ｗ２を持つ照合パターンＣ４を別途用意し、それら照合パターンＣ１と照合パターンＣ４とを組み合わせて形成されている。即ち、位置合わせパターンＰ１，Ｐ２を用いず、照合パターンＣ１，Ｃ４のみで色ＩＤパターン１１３が形成されている。なお、ここでは、ユーザＩＤ３２の数字列のうち先頭の数字と最後の数字に対して照合パターンＣ４を割り当てる態様としている（例えば、ユーザＩＤ３２が「７５２３１４６９８７」の場合、先頭と最後の数字「７」に対して照合パターンＣ４を割り当てる）。こうすることで、両端の照合パターンＣ４を位置合わせパターンとして利用することができる。勿論、必ずしもユーザＩＤ３２の先頭の数字と最後の数字に対して照合パターンＣ４を割り当てることに限定されない。また、ここでは、２つの照合パターンＣ１，Ｃ４を用いた例について説明したが、それらのいずれとも異なる幅を持つ照合パターンをさらに別途用意して、３以上の照合パターンを用いて色ＩＤパターン１１３を形成するようにしてもよい。こうした色ＩＤパターン１１３によっても、上記実施の形態と同様の効果を奏するものとなる。
【００９１】
（変形例５）色ＩＤパターン１１０の照合パターンＣ１は、必ずしも隣接する照合パターンＣ１同士が隙間なく配置されることに限定されない。すなわち、隣接する照合パターンＣ１同士が所定間隔で離間して配置される態様でもよい。
【００９２】
（変形例６）双方の色ＩＤカード１０１，１０２に印字される色ＩＤパターン１１０（照合パターンＣ１、位置合わせパターンＰ１）を、必ずしも対称図形とする必要もない。例えば、照合側とする色ＩＤカード１０１に照合パターンＣ１（図３（ａ））を印字し、被照合側とする色ＩＤカード１０２に照合パターンＣ２（図３（ｂ））を印字する、等のように、双方の色ＩＤカード１０１，１０２間で互いに異なる照合パターンが印字されてもよい。但し、この際には、互いの色ＩＤカード１０１，１０２間で、それぞれ対応する数字位置の照合パターンの形状（幅）が少なくとも合わせ端面において一致するようにパターン設定を行うようにする（照合間違いの発生を防止するため）。すなわち最低限、両カード１０１，１０２間で照合パターンの色による照合が可能であればよい。
【００９３】
（変形例７）ユーザＩＤ３２を構成する数字（０〜９）毎にそれぞれ異なる照合パターンを設定してもよい。例えば、数字「０」に対して照合パターンＣ１を設定し、数字「１」に対して照合パターンＣ２を設定し、数字「２」に対して照合パターンＣ３を設定する、…等といったように、数字毎にそれぞれ異なる（又は一部同じでもよい）照合パターンを設定して色ＩＤパターンを形成してもよい。このようにすれば、色だけでなく図形パターンの一致／不一致によっても照合を行うことができ、照合間違いをより少なくすることができる。
【００９４】
（変形例８）色ＩＤパターン１１０は、必ずしも双方の色ＩＤカード１０１，１０２の端面に印字されることに限定されない。ただし、色による確認作業を行いやすくするためには、両カード１０１，１０２のうち少なくともいずれか一方の端面に色ＩＤパターン１１０を縁なし印字する態様とするのが好ましい。すなわち、いずれか一方の端面に縁なし印字するようにすれば、該端面に印字されたカード側を他方のカード側に重ね合わせることで、色ＩＤパターン１１０同士を互いに近接させて照合を行うことができ、照合間違いを少なくすることができる。したがって、上記実施の形態では、両カード１０１，１０２の端面にそれぞれ縁なし印字するようにしたが、例えば、色ＩＤカード１０１（名札カードＮ）側の色ＩＤパターン１１０をそのカード端面に印字し、色ＩＤカード１０２（薬容器Ｍ）側の色ＩＤパターン１１０をそのカード内部に印字するようにしてもよい。
【００９５】
（変形例９）照合パターン及び位置合わせパターンの合わせ端面は必ずしも直線形状でなくてもよい。
（変形例１０）上記実施の形態では、双方の色ＩＤカード１０１，１０２に、それぞれ色ＩＤパターン１１０、ユーザ名３３、顔写真４０を共通に印字するようにしたが、少なくとも色ＩＤパターン１１０が印字されるものであればよい。ユーザ名３３、顔写真４０は、より照合間違いを少なくするために印字するものである。反対に、双方の色ＩＤカード１０１，１０２に共通に印字する情報としては、それら色ＩＤパターン１１０、ユーザ名３３、顔写真４０のみに限定されず、その他の情報（年齢３４、性別３５等）を印字するようにしてもよい。
【００９６】
（変形例１１）色ＩＤカード１０１、１０２を印刷する印刷媒体としては、必ずしもラベルシート１００に限定されない。貼付可能なシール面を有さないその他の記録紙であってもよい。
【００９７】
（変形例１２）上記実施の形態では、管理サーバ１３側でカードデータを作成するようにしたが、データベース１６から抽出したデータを端末１２に送信して、端末１２側でカードデータを作成するようにしてもよい。
【００９８】
（変形例１３）上記実施の形態では、病院で使用される色ＩＤカード１０１，１０２に具体化したが、病院に限らず、その他本人の照合を必要とする場面において広く適用することができる。
【００９９】
（変形例１４）上記実施の形態では、ヒト（人間）たる患者を照合すべき対象として、そのユーザＩＤ３２（識別番号）の各数字に対応した色の組み合わせにてなる色ＩＤパターン１１０により患者本人の照合を行うものとしたが、照合すべき対象（特許請求の範囲でいう照合対象）はヒトのみに限定されない。すなわち照合対象としては、モノ（物）であってもよく、当該モノを識別する識別番号の各数字に対応した色の組み合わせにてなる色ＩＤパターンにより、モノ同士の照合を行う態様でもよい。以下に、その適用例を幾つか紹介する。
【０１００】
（変形例１４にかかる適用例その１）運輸会社が例えば１０個口の荷物を配達する際に、当該荷物を識別する荷番号（識別番号）に対応した色ＩＤパターンが、手元の配達伝票（照合側）と、配達すべき１０個の荷物（被照合側）とにそれぞれ印字（又はラベル貼付）されていれば、配達伝票との照合を色ＩＤパターンにより行うことができ、荷物の配達ミスを防止することができる。
【０１０１】
（変形例１４にかかる適用例その２）インクジェットプリンタのインク残量が少なくなったときに、当該インクのインクカートリッジを識別する品番（識別番号）に対応した色ＩＤパターンが任意の紙に自動的に印字される。ユーザは、この色ＩＤパターンが印字された紙（照合側）を店頭に持っていき、その店で売られているインクカートリッジの箱（被照合側）に印字（又はラベル貼付）されている同一の色ＩＤパターンとの照合を行うことで、誤購入を防止できる。
【０１０２】
（変形例１４にかかる適用例その３）ボックスファイリング等において、ボックスから出した書類を再度そのボックスに戻す際に、当該ボックスを識別する識別番号に対応した色ＩＤパターンが、対応するボックス（照合側）と書類（被照合側）とにそれぞれ印字（又はラベル貼付）されていれば、ボックスとの照合を色ＩＤパターンにより行うことができ、書類の誤戻しを防ぐことができる。
【０１０３】
（第２の実施の形態）
次に、本発明の第２の実施の形態を図１５及び図１６に従って説明する。
図１５に示すように、本実施の形態の色ＩＤカード２０１，２０２は、一方の色ＩＤカード２０１の一端に切り込み部２０３を形成するとともに、他方の色ＩＤカード２０２の一端に同切り込み部２０３に挿し込み可能とする凸部２０４を形成したものである。尚、切り込み部２０３（又は凸部２０４）を形成するカードは、照合側、被照合側の何れであってもよい。
【０１０４】
色ＩＤカード２０１の色ＩＤパターン２１０は、切り込み部２０３の端面に沿って縁なし印字されており、本実施の形態では一例として図３（ａ）に示す照合パターンＣ１を用いて形成されている。一方、色ＩＤカード２０２の色ＩＤパターン２１１は、凸部２０４の端面に沿って縁なし印字されており、上記色ＩＤパターン２１０（照合パターンＣ１）よりも長尺に形成されている。
【０１０５】
このように構成された色ＩＤカード２０１，２０２では、図１６に示すように、色ＩＤカード２０１の切り込み部２０３に色ＩＤカード２０２の凸部２０４を挿し込んで互いのカード２０１，２０２を連結させることにより、互いの色ＩＤパターン２１０，２１１による照合位置を位置決めすることができる。これにより、照合位置のずれに起因する照合間違いの発生をほぼ確実に防止することができる。もちろん、第１の実施の形態における位置合わせパターンは不要となる。また、本実施の形態では、互いのカード２０１，２０２を連結するのみで照合を行うことができるので、照合作業を容易化することができる。
【０１０６】
なお、本実施の形態では、切り込み部２０３を色ＩＤカード２０１内部に開口窓として形成し、該開口窓の端面に沿って色ＩＤパターン２１０を縁なし印字することにより、凸部２０４の挿し込み位置を色ＩＤカード２０１内部に設けてもよい。即ち、切り込み部２０３を色ＩＤカード２０１の端部に設けることに必ずしも限定されない。
【０１０７】
また、本実施の形態では、色ＩＤパターン２１１を凸部２０４の端面に縁なし印字することに必ずしも限定されない。即ち、双方の色ＩＤパターン２１０，２１１は、凸部２０４を切り込み部２０３に挿し込んで互いの色ＩＤカード２０１，２０２を連結させた状態で、それら両カード２０１，２０２の連結部位にそれぞれ存在するように印字されていればよい。
【０１０８】
また、本実施の形態は、上述した「第１の実施の形態の変形例」に示す各態様（変形例１〜１４）の技術思想を適宜取り入れ、それらを組み合わせて構成することも勿論可能である。
【０１０９】
（第３の実施の形態）
次に、本発明の第３の実施の形態を図１７及び図１８に従って説明する。
図１７に示すように、本実施の形態の色ＩＤカード３０１，３０２は、一方の色ＩＤカード３０１に印字する色ＩＤパターン３１０の形成部位に、他方の色ＩＤカード３０２に印字する色ＩＤパターン３１１を覗き込む開口窓３０３を形成したものである。尚、開口窓３０３を形成するカードは、照合側、被照合側の何れであってもよい。
【０１１０】
詳細には、色ＩＤカード３０１，３０２は本実施の形態では同一形状のカードで構成されており、色ＩＤパターン３１０，３１１は各々の色ＩＤカード３０１，３０２においてそれぞれ同一形状の照合パターンを用いて同一位置に形成（印字）されている。そして、色ＩＤカード３０１側に印字される色ＩＤパターン３１０の一部（例えば中央部）を切り抜く態様にて開口窓３０３が形成されている。
【０１１１】
このように構成された色ＩＤカード３０１，３０２では、図１８に示すように、色ＩＤカード３０２の上に色ＩＤカード３０１を重ね合わせて、色ＩＤパターン３１１の一部を開口窓３０３に望ませることで、互いの色ＩＤパターン３１０，３１１による照合を行うことができる。この際、特に本実施の形態では、色ＩＤカード３０１，３０２がそれぞれ同一形状で構成されていることにより、それら両カード３０１，３０２が重ね合わせられることによって照合位置が自動的に位置決めされる。従って、第１の実施の形態における位置合わせパターンを不要とすることができる。
【０１１２】
なお、本実施の形態では、互いの色ＩＤカード３０１，３０２をそれぞれ形状の異なるカードで構成することもできる。また、色ＩＤパターン３１０，３１１の印字位置を同一位置とすることに必ずしも限定されず、それらはそれぞれのカード３０１，３０２内にて任意の位置に設定することができる。
【０１１３】
また、本実施の形態は、上述した「第１の実施の形態の変形例」に示す各態様（変形例１〜１４）の技術思想を適宜取り入れ、それらを組み合わせて構成することも勿論可能である。
【０１１４】
（第４の実施の形態）
次に、本発明の第４の実施の形態を図１９及び図２０に従って説明する。
図１９に示すように、本実施の形態の色ＩＤカード４０１，４０２は、一方の色ＩＤカード４０１の一端を該カード４０１の内側に向かって幅方向の一部分にて切り欠いて切り欠き窓４０３とし、この切り欠き窓４０３の端面に沿って色ＩＤパターン４１０を縁なし印字したものである。
【０１１５】
詳細には、色ＩＤカード４０１，４０２は本実施の形態では同一形状のカードで構成されており、一方の色ＩＤカード４０１に印字される色ＩＤパターン（切り欠き窓４０３の端面に沿って縁なし印字される色ＩＤパターン）４１０は、他方の色ＩＤカード４０２に印字される色ＩＤパターン４１１の半分の長さで形成されている。なお、切り欠き窓４０３を形成するカードは、照合側、被照合側の何れであってもよい。
【０１１６】
このように構成された色ＩＤカード４０１，４０２では、図２０に示すように、色ＩＤカード４０２の上に色ＩＤカード４０１を重ね合わせて、色ＩＤパターン４１１の一部を切り欠き窓４０３から望ませることで、互いの色ＩＤパターン４１０，４１１による照合を行うことができる。この際、特に本実施の形態では、色ＩＤカード４０１，４０２がそれぞれ同一形状で構成されていることにより、それら両カード４０１，４０２が重ね合わせられることによって照合位置が自動的に位置決めされる。従って、第１の実施の形態における位置合わせパターンを不要とすることができる。
【０１１７】
なお、本実施の形態では、互いの色ＩＤカード４０１，４０２をそれぞれ形状の異なるカードで構成することもできる。また、色ＩＤカード４０２に印字する色ＩＤパターン４１１を、該色ＩＤカード４０２の端面に印字（縁なし印字）することもできる。
【０１１８】
また、本実施の形態は、上述した「第１の実施の形態の変形例」に示す各態様（変形例１〜１４）の技術思想を適宜取り入れ、それらを組み合わせて構成することも勿論可能である。
【０１１９】
（第５の実施の形態）
次に、本発明の第５の実施の形態を図２１及び図２２に従って説明する。
図２１に示すように、本実施の形態の色ＩＤカード５０１，５０２は、それぞれに印字した色ＩＤパターン５１０，５１１による照合が可能となるように、互いの色ＩＤカード５０１，５０２にそれらのカード位置を位置決めするための切り欠き部５０３，５０４をそれぞれ形成したものである。
【０１２０】
詳細には、色ＩＤカード５０１，５０２は本実施の形態では同一形状のカードで構成されており、切り欠き部５０３，５０４は、互いの色ＩＤカード５０１，５０２を幾分ずらして重ね合わせた位置においてそれら各カード５０１，５０２の両端にそれぞれ形成されている。
【０１２１】
このように構成された色ＩＤカード５０１，５０２では、図２２に示すように、互いの切り欠き部５０３，５０４に指を添えてそれらの位置を合わせるだけで互いのカード位置を位置決めし照合位置を決定することができる。従って、照合位置のずれに起因する照合間違いの発生をほぼ確実に防止することができるとともに、照合作業を容易化することができる。もちろん、第１の実施の形態における位置合わせパターンは不要となる。
【０１２２】
なお、本実施の形態は、上述した「第１の実施の形態の変形例」に示す各態様（変形例１〜１４）の技術思想を適宜取り入れ、それらを組み合わせて構成することも勿論可能である。
【図面の簡単な説明】
【０１２３】
【図１】カード作成システムを示す概略構成図。
【図２】患者データの例を示す概念図。
【図３】（ａ）〜（ｃ）は照合パターンの例を示す模式図。
【図４】（ａ），（ｂ）は位置合わせパターンの例を示す模式図。
【図５】端末の概略ハードウェア構成を示すブロック図。
【図６】管理サーバの概略ハードウェア構成を示すブロック図。
【図７】色設定レジスタを示す概念図。
【図８】パターン設定レジスタを示す概念図。
【図９】カード作成処理を示すフローチャート。
【図１０】第１の実施の形態の色ＩＤカード（ラベルシート適用例）を示す模式図。
【図１１】第１の実施の形態の色ＩＤカードの使用例を示す模式図。
【図１２】第１の実施の形態の変形例２にかかる色ＩＤパターンを示す模式図。
【図１３】第１の実施の形態の変形例３にかかる色ＩＤパターンを示す模式図。
【図１４】第１の実施の形態の変形例４にかかる色ＩＤパターンを示す模式図。
【図１５】第２の実施の形態の色ＩＤカードを示す模式図。
【図１６】第２の実施の形態の色ＩＤカードの使用状態を示す模式図。
【図１７】第３の実施の形態の色ＩＤカードを示す模式図。
【図１８】第３の実施の形態の色ＩＤカードの使用状態を示す模式図。
【図１９】第４の実施の形態の色ＩＤカードを示す模式図。
【図２０】第４の実施の形態の色ＩＤカードの使用状態を示す模式図。
【図２１】第５の実施の形態の色ＩＤカードを示す模式図。
【図２２】第５の実施の形態の色ＩＤカードの使用状態を示す模式図。
【符号の説明】
【０１２４】
１：カード作成システム（コンピュータシステム）、１２：端末、１３：管理サーバ、１４：ネットワーク、１５：プリンタ、１６：データベース、２１：患者データ記憶部、２２：処方データ記憶部、２３：パターンデータ記憶部、２４：写真データ記憶部、２５：書式データ記憶部、３１：患者データ、３２：ユーザＩＤ、３３：ユーザ名、４０：顔写真、５４：制御部、６１：カードデータ取得部、６２：印刷制御部、７２：制御部、８１：データ登録／管理部、８２：データ抽出／作成部、８３：データ送信部、９１：色設定レジスタ、９２：パターン設定レジスタ、１００：ラベルシート、１０１，１０２，２０１，２０２，３０１，３０２，４０１，４０２，５０１，５０２：色ＩＤカード、１１０〜１１３，２１０，２１１，３１０，３１１，４１０，４１１，５１０，５１１：色ＩＤパターン、２０３：切り込み部、２０４：凸部、３０３：開口窓、４０３：切り欠き窓、５０３，５０４：切り欠き部、Ｃ１〜Ｃ４：照合パターン、Ｐ１，Ｐ２：位置合わせパターン、ＥＧ：合わせ端面、Ｗ１，Ｗ２：照合パターンの幅、Ｎ：名札カード、Ｍ：薬容器。
【図１】
2006248216.tif 000003
【図２】
2006248216.tif 000004
【図３】
2006248216.tif 000005
【図４】
2006248216.tif 000006
【図５】
2006248216.tif 000007
【図６】
2006248216.tif 000008
【図７】
2006248216.tif 000009
【図８】
2006248216.tif 000010
【図９】
2006248216.tif 000011
【図１０】
2006248216.tif 000012
【図１１】
2006248216.tif 000013
【図１２】
2006248216.tif 000014
【図１３】
2006248216.tif 000015
【図１４】
2006248216.tif 000016
【図１５】
2006248216.tif 000017
【図１６】
2006248216.tif 000018
【図１７】
2006248216.tif 000019
【図１８】
2006248216.tif 000020
【図１９】
2006248216.tif 000021
【図２０】
2006248216.tif 000022
【図２１】
2006248216.tif 000023
【図２２】
2006248216.tif 000024